(57)【要約】【課題】本考案は、動物から排出されるガスをメタンに変換して地球温暖化の増加を減少させる装置を提供する。【解決手段】カバー体と、糞便管と、少なくとも一つの気体管とによって構成する。カバー体は動物の肛門を覆い、カバー体における動物の肛門の開口の周縁に対応する箇所には、カバー体を更にぴったりと動物の肛門に密着させるための少なくとも一つの密封層が設けられ、糞便管の一端は、カバー体の底部に連結されて排便口を形成し、糞便管内には第一一方向弁が設けられ、気体管の一端は、カバー体の所定の位置に連結され排気口を形成し、気体管内には第二一方向弁が設けられる。【選択図】図１
0003164380.tif 000002
【実用新案登録請求の範囲】
【請求項１】
カバー体と、糞便管と、少なくとも一つの気体管とによって構成する、動物から排出されるガスをメタン（ＣＨ４）に変換して地球温暖化の増加を減少させる装置において、
カバー体は動物の肛門を覆い、カバー体における動物の肛門の開口の周縁に対応する箇所には、カバー体を更にぴったりと動物の肛門に密着させるための少なくとも一つの密封層が設けられ、
糞便管の一端は、カバー体の底部に連結されて排便口を形成し、糞便管内には第一一方向弁が設けられ、
気体管の一端は、カバー体の所定の位置に連結され排気口を形成し、気体管内には第二一方向弁が設けられることを特徴とする、動物から排出されるガスをメタン（ＣＨ４）に変換して地球温暖化の増加を減少させる装置。
【請求項２】
該カバー体には、カバー体を動物の肛門へしっかりと固定するための複数の固定部材が設けられており、固定部材は、マジックテープ（登録商標）、留め具、或いは伸縮ベルトの内の一つであることを特徴とする、請求項１に記載の動物から排出されるガスをメタン（ＣＨ４）に変換して地球温暖化の増加を減少させる装置。
【請求項３】
該カバー体の所定の位置には、動物の尻尾を伸ばすための透口が設けられていることを特徴とする、請求項１に記載の動物から排出されるガスをメタン（ＣＨ４）に変換して地球温暖化の増加を減少させる装置。
【請求項４】
該気体管はガスを収集するための容器に連結され、容器はエアバッグ状容器であり、容器上にはバルブが設けられ、エアバッグ状容器は動物の背中に設けられることを特徴とする、請求項１に記載の動物から排出されるガスをメタン（ＣＨ４）に変換して地球温暖化の増加を減少させる装置。
【請求項５】
該動物は、牛或いは馬の内のいずれか一つであることを特徴とする、請求項１に記載の動物から排出されるガスをメタン（ＣＨ４）に変換して地球温暖化の増加を減少させる装置。
【請求項６】
該密封層はウレタンフォームであることを特徴とする、請求項１に記載の動物から排出されるガスをメタン（ＣＨ４）に変換して地球温暖化の増加を減少させる装置。
【考案の詳細な説明】
【技術分野】
【０００１】
本考案はガス収集装置に関し、特に、動物（例えば、牛や馬など）から排出されるガス（メタンガス−Ｍａｒｓｈ  ｇａｓ）を収集して二次利用を行うことで、公害を減らし、エネルギーを増やし、地球の温暖化を和らげることができる、動物から排出されるガスをメタン（ＣＨ４）に変換して地球温暖化の増加を減少させる装置に関する。
【背景技術】
【０００２】
ニンニクを餌として牛に与えると、牛から排出されるメタンガスは減るものの、牛乳にニンニクの味がするようになる。現在、地球温暖化の元凶になっているのは、人間による二酸化炭素の排出だけではない。全世界１０億頭の牛から排出されるガス／メタンガスによって生じるメタンと炭素は驚くべき量であり、地球温暖化の大きな原因の一つとなっている。それがもたらす二酸化炭素排出量は全世界の炭素排出の２０％を占めており、人間の交通手段から排出される量を大きく超えている。また、一頭の牛で計算すると、一年に製造される１１４キログラムのメタンは、２．６トンの二酸化炭素に相当し、百頭の牛で計算すると、一年で１１４００キログラムのメタンが製造され、それは２６０トンの二酸化炭素に相当する。これは、非常に恐ろしい数値である。このため、科学者の中には、ニンニクの抽出物を牛の食べ物内に混入させ、牛の体内からメタンが生じるのを抑制し、牛から排出されるメタンを１／４に減少させている。しかし、この方法は、メタンを減少させる効果はあるものの、ニンニクを食べた牛の牛乳はニンニクの味がするという問題が生じる。
【０００３】
全世界のニンニクの年間生産高は多く、純粋な天然のニンニクだけでは足りない。また、牛から生じるメタンは、食べた青草が胃の中で発酵し、ゲップや放屁、排泄物として排出され、重大な環境汚染を引き起こす。しかし、ある研究レポートは、ニンニクは牛乳を汚染すると指摘している。
【０００４】
このように、牛乳にニンニクの味がするとなると、それが改善されない限り、ニンニクを牛に食べさせるという方法は、食肉用の牛にしか適用できなくなる。地球の温暖化が日増しに深刻になる中で、ニンニクは牛が地球に被害を与えるのを減少させるのに対して確かに効果があるものの、資金力が充分にないと、或いは、牧畜の方法を変えない限り、将来、牧畜は地球の温暖化に対する悪影響は加速することになる。
【０００５】
食物体系から生じる温室効果ガスの８０％は牧畜業から生み出されている。２００６年に国連食糧農業機関が発行したレポート「家畜の長い影（Ｌｉｖｅｓｔｏｃｋ’ｓ  Ｌｏｎｇ  Ｓｈａｄｏｗ）」の中では、牧畜関連産業から生じる温室効果ガスは、全世界の総量の１８％を占めていると見積もられており、２００９年の１１、１２月のレポートでは、牧畜業から生じる温室効果ガスは、全世界の温室効果ガス排出総量の５１％以上を占めていると指摘されている。牧畜業から生じるメタンに関し、１００年の時間で計算した場合、温暖化の潜在能力は二酸化炭素の２５倍であり、２５年で計算した場合は、メタンの温暖化の潜在能力は二酸化炭素の７５倍である。
【先行技術文献】
【非特許文献】
【０００６】
【非特許文献１】国連食糧農業機関「家畜の長い影（Ｌｉｖｅｓｔｏｃｋ’ｓ  Ｌｏｎｇ  Ｓｈａｄｏｗ）」２００６年
【考案の概要】
【考案が解決しようとする課題】
【０００７】
そこで、本考案は、動物から排出されるガスをメタンに変換して地球温暖化の増加を減少させる装置を提供することを目的とする。
【課題を解決するための手段】
【０００８】
本考案による動物から排出されるガスをメタンに変換して地球温暖化の増加を減少させる装置は、カバー体と、糞便管と、少なくとも一つの気体管とによって構成する。カバー体は動物の肛門を覆い、カバー体における動物の肛門の開口の周縁に対応する箇所には、カバー体を更にぴったりと動物の肛門に密着させるための少なくとも一つの密封層が設けられ、糞便管の一端は、カバー体の底部に連結されて排便口を形成し、糞便管内には第一一方向弁が設けられ、気体管の一端は、カバー体の所定の位置に連結され排気口を形成し、気体管内には第二一方向弁が設けられる。
【考案の効果】
【０００９】
本考案は、従来のように牛に大量のニンニクを食べさせる必要がなく、乳製品にニンニクの味がしなくなり、動物から排出されるガスを効果的に収集し再利用することで、公害を減らし、エネルギーを増加させるという進歩性を有するとともに、地球温暖化を和らげることができるという実用進歩性も有する。また、本考案の材料は軽量化されているとともに（プラスチック、ゴム、布類）、製造を速く行うことができるとともに価格を安く抑えることができ、さらには、装置の制限を受けることなく動作を自由に行うことができ、動物が水中にいるときや乳を吸っているときでも取り外す必要がなく、その上、衛生的で洗うのも簡単であるという進歩性を備えている。さらに、本考案は、容器を動物の背中に設けることにより、日よけ、雨よけ、雪よけとして用いることもできる。また、複数の動物に対して同時にガスを収集することもできる。
【図面の簡単な説明】
【００１０】
【図１】本考案によるガス収集装置を示した斜視図である。
【図２】本考案において動物がガスを排出した時の状態を示した説明図である。
【図２Ａ】本考案の第二一方向弁の作動を示した説明図である。
【図３】本考案において動物が糞便を排泄した時の状態を示した説明図である。
【図３Ａ】本考案の第一一方向弁の作動を示した説明図である。
【図４】本考案の実施例２を示した斜視図である。
【考案を実施するための形態】
【００１１】
（実施例１）
図１は、本考案によるガス収集装置を示した斜視図である。図２は、本考案において動物がガスを排出した時の状態を示した説明図である。図２Ａは、本考案の第二一方向弁の作動を示した説明図である。図３は、本考案において動物が糞便を排泄した時の状態を示した説明図である。図３Ａは、本考案の第一一方向弁の作動を示した説明図である。図から分かるように、本考案は、カバー体１０と、糞便管１５と、少なくとも一つの気体管１６とによって構成する。
【００１２】
カバー体１０は、動物２０（動物２０は、馬或いは牛のいずれかである）の肛門２１を覆う。カバー体１０における動物２０の肛門２１の開口１１の周縁に対応する箇所には、カバー体１０を更にぴったりと動物２０の肛門２１に密着させるための少なくとも一つの密封層１２が設けられる。密封層１２はウレタンフォームである。また、カバー体１０の所定の位置には、動物２０の尻尾２２を伸ばすための透口１３が設けられている。さらに、カバー体１０には、カバー体１０を動物２０の肛門２１へしっかりと固定するための複数の固定部材１４が設けられており、固定部材１４は、マジックテープ（登録商標）、留め具、或いは伸縮ベルトの内の一つとする。
【００１３】
糞便管１５の一端はカバー体１０の底部に連結され、排便口１５１を形成する。また、糞便管１５内には第一一方向弁１５２が設けられる。
【００１４】
気体管１６の一端はカバー体１０の所定の位置に連結され、排気口１６１を形成する。また、気体管１６内には第二一方向弁１６２が設けられる。気体管１６の他端は、ガス３０を収集するための容器１７に連結される。容器１７はエアバッグ状容器であり、容器１７上にはバルブ１７１が設けられ、エアバッグ状容器は、動物２０の背中２３に設けられる。
【００１５】
動物２０がガスの排出（放屁）を行った時、そのガス３０は、排気口１６１から気体管１６に進入する。そして、一定量のガス３０が気体管１６内で収集され気圧が生じると、その気圧によって第二一方向弁１６２は押されて開き、ガス３０は第二一方向弁１６２を通過する。その後、気圧が不足すると第二一方向弁１６２は押されて閉じ、それにより、ガス３０がカバー体１０内に逆流しなくなる。そして、ガス３０は、気体管１６を通って容器１７内に流入し、容器１７によってガス３０が貯蔵される。
【００１６】
その後、使用者が容器１７内に収集されたガス３０を取り出したい場合は、バルブ１７１を使用することによってガス３０を容器１７内から取り出すことができる。
【００１７】
また、動物２０の糞便２４は、肛門２１から排出された後、糞便管１５内に進入し地球の重力によって落下し、第一一方向弁１５２を通過する時、第一一方向弁１５２は重力加速度によって開く。糞便２４が第一一方向弁１５２を通過した後、第一一方向弁１５２は自動的に閉じる。
【００１８】
（実施例２）
図４は、本考案の実施例２を示した斜視図である。図から分かるように、本考案の実施例２は、動物２０ａの肛門２１ａを覆うためのカバー体１０ａと、カバー体１０ａに連結される糞便管１５ａと、カバー体１０ａと連結される少なくとも一つの気体管１６ａとによって構成する。糞便管１５ａ内には第一一方向弁１５２ａが設けられ、気体管１６ａ内には第二一方向弁１６２ａが設けられる。気体管１６ａの一端には、ホースである気体輸送管１７２ａが連結され、気体輸送管１７２ａの所定の位置には少なくとも一つのバルブ１７３ａとポンプ１７４ａが設けられる。気体輸送管１７２ａは容器１７ａと連通し、容器１７ａは収集桶である。動物２０ａの糞便２４ａが糞便管１５ａに進入した後、第一一方向弁１５２ａは開き、糞便２４ａが通過した後に閉じる。また、動物２０ａの肛門２１ａから排出されたガス３０ａは、気体管１６ａから共同収集するための容器１７ａ内（収集桶）に進入する。このようにして、使用者は、複数の動物２０ａから排出されたガス３０ａを一度で収集することができる。また、使用者が、バルブ１７１ａ、１７３ａを使用して気体輸送管１７２ａを開くと同時にポンプ１７４ａを作動させると、ガス３０ａは、気体輸送管１７２ａからポンプ１７４ａを経て容器１７ａ内に進入する。
【００１９】
図１から図４の全ての図を参照する。本考案は下記の利点を有する。
１、カバー体１０によって、動物２０から排出されたガス３０の貯蔵を行い、第二一方向弁１６２の作用によってガス３０を完全に容器１７内に収容することができる。しかも、動物２０が大便を排泄した時、糞便２４は糞便管１５から排出させることができる。
２、容器１７は、動物２０の背中２３に設けられ、日よけ、雨よけ、雪よけとして用いることもできる。
３、公害を減らし、エネルギーを増加し、地球温暖化を和らげることができる。
４、ガスを再利用可能なエネルギーに変換することができる。
５、材料は軽量化されている（プラスチック、ゴム、布類）。
６、製造を速く行うことができるとともに価格を安く抑えることができる。
７、装置の制限を受けることなく動作を自由に行うことができ、動物が水中にいるときや乳を吸っているときでも取り外す必要がない。
８、衛生的で洗うのも簡単である。
９、大量のニンニクを食べる必要がなく、乳製品にニンニクの味がしなくなるため、温暖化現象を和らげることができるだけでなく、使用者は乳製品を食べることができるようになる。
１０、装置を固定するための固定部材は、マジックテープ（登録商標）、留め具、或いは伸縮ベルトであるが、その他の各種固定方法も、本考案に適用することが可能である。
【符号の説明】
【００２０】
１０、１０ａ  カバー体    
１１          開口    
１２          密封層    
１３          透口    
１４          固定部材    
１５、１５ａ  糞便管    
１５１        排便口    
１５２、１５２ａ  第一一方向弁    
１６、１６ａ    気体管    
１６１        排気口    
１６２、１６２ａ  第二一方向弁    
１７、１７ａ  容器    
１７１、１７１ａ、１７３ａ  バルブ    
１７２ａ    気体輸送管    
１７４ａ    ポンプ    
２０、２０ａ    動物    
２１、２１ａ    肛門    
２２            尻尾    
２３            背中    
２４、２４ａ    糞便    
３０、３０ａ    ガス    
【図１】
0003164380.tif 000003
【図２】
0003164380.tif 000004
【図２Ａ】
0003164380.tif 000005
【図３】
0003164380.tif 000006
【図３Ａ】
0003164380.tif 000007
【図４】
0003164380.tif 000008